(57)【要約】【課題】回転同期制御に伴う燃料消費を抑制することができる内燃機関の制御装置を提供する。【解決手段】内燃機関の制御装置は、出力軸がクラッチを介して手動変速機の入力軸に接続された内燃機関に適用されて、手動変速機の変速段の変更に伴って出力軸の回転速度を入力軸の回転速度に同期させる回転同期制御を行う。この制御装置は、変速段が変更された場合に回転同期制御を開始し、変速段の変更が終了してからの経過時間が第１終了判定時間ＴＥ１を超えた場合に回転同期制御を終了する。【選択図】図５
2014227965.tif 000002
【特許請求の範囲】
【請求項１】
出力軸がクラッチを介して手動変速機の入力軸に接続された内燃機関に適用されて、前記手動変速機の変速段の変更に伴って前記出力軸の回転速度を前記入力軸の回転速度に同期させる回転同期制御を行う内燃機関の制御装置であって、
前記変速段が変更された場合に前記回転同期制御を開始し、前記変速段の変更が終了してからの経過時間が終了判定時間を超えた場合に前記回転同期制御を終了する
ことを特徴とする内燃機関の制御装置。
【請求項２】
前記終了判定時間である第１終了判定時間に加え、該第１終了判定時間よりも長い第２終了判定時間を設定し、
前記変速段の変更が終了してからの経過時間が前記第１終了判定時間を超えた場合に加えて、前記回転同期制御が開始されてからの経過時間が前記第２終了判定時間を超えた場合にも前記回転同期制御を終了する
ことを特徴とする請求項１に記載の内燃機関の制御装置。
【請求項３】
前記変速段が変更された後の減速比が大きいほど前記第１終了判定時間及び第２終了判定時間を短くする
ことを特徴とする請求項２に記載の内燃機関の制御装置。
【請求項４】
燃料消費量を抑制するエコモードを含む複数の運転モードの中から運転モードを選択可能であり、
前記エコモードが選択されている場合は、前記エコモードが選択されていない場合よりも、前記第１終了判定時間及び前記第２終了判定時間を短くする
ことを特徴とする請求項２または請求項３に記載の内燃機関の制御装置。
【請求項５】
前記入力軸の回転速度の検出値と該検出値に平準化処理を施したスムース値との乖離の大きさに基づいて前記変速段が変更されたことを判定し、前記回転同期制御を開始する
ことを特徴とする請求項１〜請求項４のうちいずれか一項に記載の内燃機関の制御装置。
【請求項６】
前記回転同期制御を開始する条件に、
前記入力軸の回転速度の検出値と該検出値に平滑化処理を施したスムース値との乖離の大きさが開始判定値以上になったこと、
が含まれている
ことを特徴とする請求項５に記載の内燃機関の制御装置。
【請求項７】
前記入力軸の回転速度を前記手動変速機の出力軸の回転速度で除した商の変化量に基づいて前記変速段が変更されたことを判定し、前記回転同期制御を開始する
ことを特徴とする請求項１〜請求項４のうちいずれか一項に記載の内燃機関の制御装置。
【請求項８】
前記回転同期制御を開始する条件に、
前記入力軸の回転速度を前記手動変速機の出力軸の回転速度で除した商の変化量が開始判定値以上になった後に、前記商の変化量が前記開始判定値よりも小さくなったこと、
が含まれている
ことを特徴とする請求項７に記載の内燃機関の制御装置。
【請求項９】
前記回転同期制御を開始する条件に、
前記入力軸の回転速度を前記手動変速機の出力軸の回転速度で除した商の変化量が開始判定値以上になったこと、
が含まれている
ことを特徴とする請求項７に記載の内燃機関の制御装置。
【発明の詳細な説明】
【技術分野】
【０００１】
本発明は、出力軸がクラッチを介して手動変速機の入力軸に接続された内燃機関に適用されて、手動変速機の変速段の変更に伴って回転速度制御を行う内燃機関の制御装置に関する。
【背景技術】
【０００２】
手動変速機を搭載する車両では、運転者がクラッチペダルを踏み込んでクラッチを開放した後、シフトレバーを操作して手動変速機の変速段を変更し、クラッチペダルの踏み込みを解除してクラッチを繋ぐことで、変速が行われる。こうした手動変速機の変速に際してクラッチを繋ぐときに、内燃機関の出力軸の回転速度と手動変速機の入力軸の回転速度とが大きく乖離していると、変速ショックが発生することがある。
【０００３】
こうした変速ショックを低減するため、入力軸の回転速度と同期させるように内燃機関の出力軸の回転速度を制御する回転同期制御を行う制御装置が提案されている。この制御装置では、クラッチペダルの踏み込みを解除して、クラッチを繋いだときに回転同期制御を終了していた（例えば、特許文献１）。
【先行技術文献】
【特許文献】
【０００４】
【特許文献１】特開２００８−２６７１４４号公報
【発明の概要】
【発明が解決しようとする課題】
【０００５】
ところで、クラッチペダルの操作は運転者に任されているため、シフトレバーを操作して手動変速機の変速段を変更した後、すぐにはクラッチペダルの踏み込みが解除されない場合もある。このような場合には、変速段の変更に伴って回転同期制御が開始されてから、その制御が終了するまでの時間が長くなる。その結果、内燃機関の出力軸の回転速度を手動変速機の入力軸の回転速度と同期させた状態を維持するために燃料が消費されている時間が長くなり、燃料の消費量が増大してしまう。
【０００６】
本発明はこうした実情に鑑みてなされたものであり、その目的は、回転同期制御に伴う燃料消費を抑制することができる内燃機関の制御装置を提供することにある。
【課題を解決するための手段】
【０００７】
以下、上記課題を解決するための手段及びその作用効果について記載する。
上記課題を解決するための内燃機関の制御装置は、出力軸がクラッチを介して手動変速機の入力軸に接続された内燃機関に適用されて、前記手動変速機の変速段の変更に伴って前記出力軸の回転速度を前記入力軸の回転速度に同期させる回転同期制御を行う内燃機関の制御装置であって、前記変速段が変更された場合に前記回転同期制御を開始し、前記変速段の変更が終了してからの経過時間が終了判定時間を超えた場合に前記回転同期制御を終了することをその要旨とする。
【０００８】
上記構成によれば、変速段の変更に伴って回転同期制御が開始された後、クラッチがなかなか繋がれずに、クラッチを繋ぐまでの時間が長くなったとしても、変速段の変更が終了してからの経過時間が終了判定時間を超えたときに回転同期制御が終了されることになる。したがって、内燃機関の出力軸の回転速度を手動変速機の入力軸の回転速度と同期させた状態を維持するために、回転同期制御を通じて長期間に亘って燃料が消費され続けることを抑制し、回転同期制御に伴う燃料消費を抑制することができる。
【０００９】
クラッチを解放している間に複数回の変速段の変更を行う場合には、最後の変速段の変更が終了してからの経過時間が終了判定時間を超えるまで回転同期制御が終了されないため、回転同期制御が長い期間に亘って継続されやすい。
【００１０】
そこで、上記内燃機関の制御装置では、前記終了判定時間である第１終了判定時間に加え、該第１終了判定時間よりも長い第２終了判定時間を設定し、前記変速段の変更が終了してからの経過時間が前記第１終了判定時間を超えた場合に加えて、前記回転同期制御が開始されてからの経過時間が前記第２終了判定時間を超えた場合にも前記回転同期制御を終了することが好ましい。
【００１１】
上記構成によれば、制御装置は回転同期制御を開始してからの経過時間が第２終了判定時間を超えた場合にも回転同期制御を終了するので、クラッチを開放している間に複数回の変速段の変更が行われる場合であっても、回転同期制御が長期間に亘って継続されることを抑制することができる。したがって、回転同期制御に伴って消費される燃料の増大が抑制される。
【００１２】
また、上記内燃機関の制御装置では、前記変速段が変更された後の減速比が大きいほど前記第１終了判定時間及び前記第２終了判定時間を短くすることが好ましい。
手動変速機の入力軸の回転速度は、手動変速機の出力軸の回転速度が等しい場合であっても、減速比が大きいほど高くなる。そのため、内燃機関の出力軸の回転速度は、変速段が変更された後の減速比が大きいときほど、回転同期制御を通じて高い回転速度に維持されることになる。したがって、変速段が変更された後の減速比が大きいときほど、回転同期制御を通じて内燃機関の出力軸の回転速度を手動変速機の入力軸の回転速度と同期させた状態を維持するために消費される燃料の量は多くなる。
【００１３】
この点、上記構成によれば、変速段が変更された後の減速比が大きいほど第１終了判定時間及び第２終了判定時間が短くされるので、燃料消費量が多くなりやすい減速比の大きな変速段への変更に伴う回転同期制御の継続時間が短くなる。したがって、回転同期制御に伴う燃料消費量を効果的に抑制することができる。
【００１４】
上記内燃機関の制御装置が、燃料消費量を抑制するエコモードを含む複数の運転モードの中から運転モードを選択可能なものである場合には、前記エコモードが選択されている場合は、前記エコモードが選択されていない場合よりも、前記第１終了判定時間及び前記第２終了判定時間を短くすることが好ましい。
【００１５】
上記構成によれば、エコモードが選択されていない場合と比較して、燃料消費量を抑制することを優先するエコモードが選択された場合には、第１終了判定時間及び第２終了判定時間が短くされる。そのため、エコモードが選択されている場合には、エコモードが選択されていない場合と比較して回転同期制御が継続されにくくなる。したがって、上記構成によれば、燃料消費量を抑制するエコモードが選択されている場合に回転同期制御に伴う燃料消費量をより一層抑制することができるようになり、選択されている運転モードの特徴に合わせた制御態様の切り替えを実現することができる。
【００１６】
上記内燃機関の制御装置は、例えば、前記入力軸の回転速度の検出値と該検出値に平準化処理を施したスムース値との乖離の大きさに基づいて前記変速段が変更されたことを判定し、前記回転同期制御を開始することが考えられる。
【００１７】
手動変速機のアップシフト側への変速段の変更に際しては、手動変速機の入力軸の回転速度が低下する。一方で、手動変速機のダウンシフト側への変速段の変更に際しては、手動変速機の入力軸の回転速度が上昇する。そのため、手動変速機の変速段が変更されたか否かは、入力軸の回転速度の変化から容易に検知できるように思われる。
【００１８】
しかしながら、クラッチが開放されると、プロペラシャフト等の駆動系の構成部材にねじり振動が発生し、それにより入力軸の回転速度が周期的に昇降するようになる。そのため、単純に入力軸の回転速度の変化を監視するだけでは、クラッチ開放後のねじり振動による入力軸の回転速度の変化と、変速段の変更に伴う入力軸の回転速度の変化とを区別できず、変速段が変更されたことを確認することは困難となっている。
【００１９】
その点、上記構成では、入力軸の回転速度の検出値と該検出値に平準化処理を施したスムース値との乖離の大きさに基づいて変速段が変更されたことを確認するようにしている。入力軸の回転速度の検出値に平滑化処理を施して求められたスムース値には、入力軸の回転速度の急峻な変化は反映され難い。一方で、入力軸の回転速度の検出値には、変速段の変更に伴う急峻な回転速度の変化が顕著に現れる。そのため、これら検出値とスムース値との乖離の大きさを監視すれば、変速段の変更に伴う入力軸の回転速度の変化と、クラッチの開放後のねじり振動による入力軸の回転速度の変化とを的確に区別することができる。そして、これにより、シフト位置センサ等を用いて変速段が変更されたことを直接検出せずとも、変速段が変更されたことを的確に検出することができるようになる。したがって、上記構成によれば、より簡易な構成で、手動変速機の変速段が変更されたことを的確に検知し、回転同期制御を的確に開始することができる。
【００２０】
なお、入力軸の回転速度の検出値とスムース値との乖離の大きさに基づいて回転同期制御を開始するための具体的な構成としては、前記回転同期制御を開始する条件に、前記入力軸の回転速度の検出値と該検出値に平滑化処理を施したスムース値との乖離の大きさが開始判定値以上になったこと、を含ませるようにする構成を採用することができる。
【００２１】
変速段が変更されると手動変速機の入力軸の回転速度が短時間のうちに大きく変化し、入力軸の回転速度の検出値とスムース値との乖離が大きくなる。そのため、検出値とスムース値との乖離の大きさが開始判定値以上になったことを回転同期制御を開始する条件に含ませる構成を採用すれば、変速段が変更されて乖離の大きさが開始判定値以上になったことが検知された場合に、その検知結果に基づいて回転同期制御を開始することができる。
【００２２】
上記内燃機関の制御装置では、前記入力軸の回転速度を前記手動変速機の出力軸の回転速度で除した商の変化量に基づいて前記変速段が変更されたことを判定し、前記回転同期制御を開始するようにしてもよい。
【００２３】
上述したように手動変速機の入力軸の回転速度は、手動変速機の出力軸の回転速度が等しい場合であっても減速比が大きいほど高くなる。そのため、手動変速機のアップシフト側への変速段の変更に際しては、手動変速機の入力軸の回転速度が低下する。一方で、手動変速機のダウンシフト側への変速段の変更に際しては、手動変速機の入力軸の回転速度が上昇する。したがって、入力軸の回転速度を手動変速機の出力軸の回転速度で除した商は変速段の変更に伴って変化し、その後、変速段の変更が終了すると変化しなくなる。
【００２４】
したがって、上記の商の変化量を監視することにより、変速段が変更されたか否かを判定することができる。これにより、変速段の変更を検知するためのシフト位置センサ等を備えなくても変速段が変更されたか否かを判定することができるので、簡易な構成で回転速度制御を実行することができる。
【００２５】
なお、上記の商の変化量に基づいて回転同期制御を開始するための具体的な構成としては、前記回転同期制御を開始する条件に、前記入力軸の回転速度を前記手動変速機の出力軸の回転速度で除した商の変化量が開始判定値以上になった後に、前記商の変化量が前記開始判定値よりも小さくなったこと、を含ませるようにする構成や、前記回転同期制御を開始する条件に、前記入力軸の回転速度を前記手動変速機の出力軸の回転速度で除した商の変化量が開始判定値以上になったこと、を含ませる構成を採用することができる。
【００２６】
変速段が変更されると手動変速機の出力軸の回転速度はほとんど変化しない一方で、入力軸の回転速度が短時間のうちに大きく変化するため、上記の商が大きく変化する。したがって、上記の商の変化量が開始判定値以上になったことを回転同期制御を開始する条件に含ませる構成を採用すれば、変速段が変更されて上記の商の変化量が開始判定値以上になったことが検知された場合に、その検知結果に基づいて回転同期制御を開始することができる。
【００２７】
また、変速段の変更が終了すると、上記の商はほとんど変化しなくなる。そのため、上記の商の変化量が開始判定値以上になった後に、同商の変化量が開始判定値よりも小さくなったことを回転同期制御を開始する条件に含ませる構成を採用すれば、変速段の変更が終了して上記の商の変化量が開始判定値よりも小さくなったことが検知された場合に、その検知結果に基づいて回転同期制御を開始することができる。
【図面の簡単な説明】
【００２８】
【図１】一実施形態の内燃機関の制御装置と、この制御装置の制御対象である内燃機関との関係を示す模式図。
【図２】同実施形態の制御装置が実行する回転同期制御ルーチンの処理手順を示すフローチャート。
【図３】同実施形態の制御装置が実行する判定ルーチンの処理手順を示すフローチャート。
【図４】回転同期制御の終了時期とクラッチ開度、第１タイマ値、第２タイマ値との関係を示すタイムチャートであり、クラッチ開度に基づいて回転同期制御が終了されるときの状況を示すタイムチャート。
【図５】図４と同様のタイムチャートであり、第１終了判定時間に基づいて回転同期制御が終了されるときの状況を示すタイムチャート。
【図６】図４及び図５と同様のタイムチャートであり、第２終了判定時間に基づいて回転同期制御が終了されるときの状況を示すタイムチャート。
【発明を実施するための形態】
【００２９】
以下、上記課題を解決する内燃機関の制御装置の一実施形態について、図を参照して説明する。この実施形態は、手動変速機付きの車両に搭載される内燃機関を制御する制御装置の一例である。
【００３０】
図１に示すように、本実施形態にかかる車両の駆動系は、内燃機関１０と、手動変速機２５と、これら内燃機関１０と手動変速機２５とを繋ぐクラッチ２１とを備えている。内燃機関１０の吸気通路１１にはスロットルバルブ１２が設けられている。
【００３１】
内燃機関１０は、制御装置１００によって制御される。例えば、制御装置１００は、スロットルバルブ１２を駆動するモータ１３を制御し、スロットルバルブ１２の開度を変更する。スロットルバルブ１２の開度が大きくなると、内燃機関１０の吸入空気量が増加するため、制御装置１００は、この吸入空気量の増加に合わせて燃料消費量を増加させる。制御装置１００は、このようにスロットルバルブ１２の開度と燃料噴射量とを調整することにより、内燃機関１０の出力軸１４の回転速度である機関回転速度を制御する。
【００３２】
手動変速機２５は、複数のギアを備えており、これら複数のギアの組み合わせによって構成することのできる複数の変速段の中から１つの変速段を選択することにより変速比を変更する。手動変速機２５の変速段は、運転者がシフトレバー５０を操作することによって選択される。
【００３３】
クラッチ２１は、内燃機関１０の出力軸１４に固定されたフライホイール２２と、手動変速機２５の入力軸２４に固定されたクラッチディスク２３とを備えている。クラッチディスク２３は、入力軸２４の延伸方向（図１では左右方向）に駆動されることによって、内燃機関１０と手動変速機２５との間における駆動力の伝達状態を切り替える。
【００３４】
例えば、運転者がクラッチペダル６０を踏み込むと、図１に示されるようにクラッチディスク２３がフライホイール２２から離間した状態になる。このとき、クラッチ２１は解放されて、内燃機関１０と手動変速機２５との間での駆動力の伝達はなされない。
【００３５】
一方、クラッチペダル６０の踏み込みが解除されると、クラッチディスク２３が図示しない付勢部材の付勢力によって図１における左方に向けて移動してフライホイール２２に圧接される。このときには、クラッチ２１が繋がれて内燃機関１０と手動変速機２５との間で駆動力が伝達される。すなわち、内燃機関１０の出力軸１４は、クラッチ２１を介して手動変速機２５の入力軸２４に接続される。
【００３６】
このように、クラッチ２１は運転者によるクラッチペダル６０の踏み込み操作によって解放される一方で、クラッチペダル６０の踏み込み操作が解除されることによって繋がれる。
【００３７】
また、手動変速機２５において、シフトレバー５０の操作位置がニュートラルにあるとき、入力軸２４の回転は手動変速機２５の出力軸２６に伝達されない。一方、シフトレバー５０の操作位置が１速、２速、３速等の前進走行位置または、リバースすなわち後進走行位置にあるとき、入力軸２４の回転が出力軸２６に伝達される。
【００３８】
図１の右側に示すように、手動変速機２５の出力軸２６は、プロペラシャフト２７を介してディファレンシャル２８に連結されている。そして、手動変速機２５を介して伝達された内燃機関１０の駆動力は、プロペラシャフト２７を介してディファレンシャル２８に伝達される。さらに、ディファレンシャル２８に伝達された駆動力は、左右のドライブシャフト２９Ｌ，２９Ｒに分配された後、ドライブシャフト２９Ｌ，２９Ｒに接続された左右の駆動輪３０Ｌ，３０Ｒに伝達される。
【００３９】
内燃機関１０の制御装置１００は、例えば中央演算処理装置（ＣＰＵ）に加えて、読み出し専用メモリ（ＲＯＭ）、ランダムアクセスメモリ（ＲＡＭ）、記憶データを書き換え可能な不揮発性メモリであるＥＥＰＲＯＭ等の各種メモリを備えた電子制御装置である。
【００４０】
本実施形態の制御装置１００は、計時動作を行う第１タイマ１０１及び第２タイマ１０２を備えている。なお、第１タイマ１０１のタイマ値ＴＡ及び第２タイマ１０２のタイマ値ＴＢの初期値は、いずれも「０」に設定されている。
【００４１】
制御装置１００には、内燃機関１０の出力軸１４の回転速度を検出する機関回転速度センサ６３と、クラッチ２１の開度を検出するクラッチ開度センサ６４と、手動変速機２５の入力軸２４の回転速度である入力軸回転速度を検出する入力軸回転速度センサ６５と、車速センサ６６とが接続されている。
【００４２】
クラッチ開度は、クラッチ２１の開放度合いを示す値であり、クラッチペダル６０の踏み込み量に比例して大きくなる。したがって、クラッチ開度が大きくなるとそれに伴ってフライホイール２２とクラッチディスク２３とを圧接させている力が弱くなり、クラッチ２１を介して伝達される駆動力は次第に小さくなる。そして、クラッチ開度がさらに大きくなり、フライホイール２２とクラッチディスク２３とが離間するようになるとクラッチ２１が完全に解放され、クラッチ２１を介した駆動力の伝達はなされなくなる。
【００４３】
また、車速センサ６６は、手動変速機２５の出力軸２６と連結されているプロペラシャフト２７の回転速度を検出するセンサである。すなわち、車速センサ６６によって検出される回転速度は手動変速機２５の出力軸２６の回転速度と等しいため、車速センサ６６によって検出される回転速度は、手動変速機２５の出力軸２６の回転速度でもある。制御装置１００は、この車速センサ６６によって検出された回転速度に基づいて駆動輪３０Ｌ，３０Ｒの回転速度である車輪回転速度及び車速を算出する。
【００４４】
制御装置１００は、これらセンサ６３〜６６からの出力信号並びにアクセルペダル４０及びクラッチペダル６０の操作量等に基づいて、車両の制御を行う。例えば、制御装置１００は、アクセルペダル４０の操作量に基づいてモータ１３を駆動し、上述したようにスロットルバルブ１２の開度を調整することにより、機関回転速度を制御する。
【００４５】
また、制御装置１００には、車両が運転モードを切り替えるためのモード切替スイッチ６７が接続されている。制御装置１００は、モード切替スイッチ６７の操作状態に応じて、複数の運転モードの中から運転モードを選択する。運転モードには、燃料消費量を抑制するエコモードや、エコモードが選択されているときよりもアクセル操作に対する応答性を高くするパワーモードが含まれている。
【００４６】
具体的には、制御装置１００は、エコモードが選択されているときには、いずれの運転モードも選択されていない通常の状態と比較してアクセル操作に対するスロットルバルブ１２の開度の変更の応答を穏やかにする。また、制御装置１００は、パワーモードが選択されているときには、いずれの運転モードも選択されていない通常の状態と比較してアクセル操作に対するスロットルバルブ１２の開度の変更の応答性を高める。これにより、エコモードが選択されているときにはパワーモードが選択されているときよりも燃料消費量の抑制が優先され、パワーモードが選択されているときにはエコモードが選択されているときよりもアクセル操作に対する応答性が優先されるようになる。
【００４７】
次に、制御装置１００が実行する回転同期制御について説明する。
変速段の変更に伴ってクラッチ２１を繋ぐときに機関回転速度と入力軸回転速度とが大きく乖離していると、変速ショックが生じることがある。特に、ダウンシフトの場合には、変速段の変化に伴って入力軸回転速度が急上昇するので、機関回転速度と入力軸回転速度との乖離が大きくなりやすく、変速ショックが大きくなりやすい傾向がある。
【００４８】
そこで、制御装置１００は、変速段の変更に際して、出力軸１４の回転速度を入力軸２４の回転速度に同期させるための内燃機関１０の回転同期制御を実行する。この回転同期制御では、アクセルペダル４０の操作がなされていなくても、変速段変更後の変速比に応じて制御装置１００が、出力軸１４の回転速度を入力軸２４の回転速度に同期させるように自動的に機関回転速度を制御する。
【００４９】
本実施形態において、制御装置１００は変速段が変更されたときに回転同期制御を開始する。また、制御装置１００は、基本的にはクラッチ２１が繋がったときに回転同期制御を終了する。なお、クラッチ２１が繋がったか否かは、クラッチ開度センサ６４が検出するクラッチ開度に基づいて判定することができる。
【００５０】
ところで、運転者によっては、クラッチペダル６０を踏みながらアクセルペダル４０を操作することで自らのアクセル操作により機関回転速度を調整して変速ショックを低減したり、クラッチ２１を解放した状態で変速段の変更操作を連続して複数回行ったりする場合がある。また、クラッチ２１を解放した状態でシフトレバー５０が操作され、変速段の変更が行われたものの、クラッチ２１が繋がれることなく、信号待ち等で停車する場合もある。これらの場合には、回転同期制御を開始してからクラッチが繋がれるまでの時間が長くなるので、回転同期制御に伴う燃料消費量が多くなってしまう。
【００５１】
そこで、本実施形態の制御装置１００では、クラッチ２１が繋がれたときに加えて、変速段の変化が終了してからの経過時間が第１終了判定時間ＴＥ１を超えたときと、回転同期制御が開始されてからの経過時間が第２終了判定時間ＴＥ２を超えたときにも、回転同期制御を終了させるようにしている。なお、第２終了判定時間ＴＥ２は、第１終了判定時間ＴＥ１よりも大きい値に設定されている。
【００５２】
すなわち、本実施形態の制御装置１００は、「クラッチ２１が繋がれた」ことと、「変速段の変化が終了してからの経過時間が第１終了判定時間ＴＥ１を超えた」ことと、「回転同期制御が開始されてからの経過時間が第２終了判定時間ＴＥ２を超えた」ことの、３つの終了条件うち、いずれかが成立した場合に、回転同期制御を終了する。
【００５３】
ここで、制御装置１００が備える第１タイマ１０１は、クラッチ２１が開放されて変速段の変更が開始された後、変速段が元の変速段から変更先の変速段に移行したときに、計時動作を開始する。すなわち、第１タイマ１０１は、変速段の変更が終了したときに計時動作を開始する。
【００５４】
そして、第１タイマ１０１は、その後にクラッチ２１が繋がれたときに、計時動作を終了して初期値にリセットされる。すなわち、第１タイマ１０１は、変速段の変更が終了してからの経過時間を計時する。
【００５５】
なお、クラッチ２１が繋がれる前に更なる変速段の変更が行われた場合、すなわちクラッチ２１を繋ぐことなく、４速から３速、更に３速から２速というように連続して複数回の変速段の変更が行われた場合には、第１タイマ１０１は、変速段の変更が終了する度に初期値から計時動作をやり直す。例えば、上記のようにクラッチ２１を繋ぐことなく、４速から３速、更に３速から２速というように連続して変速段の変更が行われた場合には、第１タイマ１０１は、３速から２速への変速が終了したときに計測値を初期値である「０」にリセットして計時動作を再開する。
【００５６】
また、制御装置１００が備える第２タイマ１０２は、回転同期制御が開始されたときに計時動作を開始し、クラッチ２１が繋がれたときに計時動作を終了して初期値にリセットされる。すなわち、第２タイマ１０２は、回転同期制御が開始されてからの経過時間を計時する。
【００５７】
次に、制御装置１００が実行する回転同期制御ルーチンについて説明する。
制御装置１００は、図２に示す回転同期制御ルーチンの処理を内燃機関１０の運転中に予め設定された周期で繰り返し実行する。
【００５８】
図２に示すように、回転同期制御ルーチンが開始されると、まずステップＳ２１０において、制御装置１００は変速段の変化が有ったか否かを判定する。なお、この判定は図３を参照して後述する判定ルーチンを通じて行われる。
【００５９】
ステップＳ２１０において変速段の変化有りと判定した場合（ステップＳ２１０：ＹＥＳ）には、ステップＳ２２０へと進む。一方、ステップＳ２１０において否定判定がなされた場合（ステップＳ２１０：ＮＯ）には、処理を終了する。なお、変速段の変化有りと判定されて、その変化が終了すると、上述したように第１タイマ１０１が計時動作を開始する。
【００６０】
ステップＳ２２０において、制御装置１００は回転同期制御を開始する。なお、ステップＳ２２０で制御装置１００が回転同期制御を開始すると、上述したように第２タイマ１０２が計時動作を開始する。
【００６１】
ステップＳ２２０に続くステップＳ２３０において、制御装置１００は上述した３つの終了条件うち、いずれかが成立したか否かを判定する。すなわち、クラッチ２１が繋がれたか、第１タイマ１０１の第１タイマ値ＴＡが第１終了判定時間ＴＥ１を超えたか、あるいは、第２タイマ１０２の第２タイマ値ＴＢが第２終了判定時間ＴＥ２を超えたか、のいずれか１つでも成立しているか否かを判定する。そして、３つの終了条件うちいずれか１つでも成立している場合には、終了条件が成立していると判断し（ステップＳ２３０：ＹＥＳ）、制御装置１００はステップＳ２４０に進んで回転同期制御を終了する。
【００６２】
一方、ステップＳ２３０において否定判定がなされた場合（ステップＳ２３０：ＮＯ）、すなわち３つの終了条件のいずれもが成立していない場合には、ステップＳ２３０において肯定判定がなされるまでステップＳ２２０を繰り返す。要するに、この回転同期制御ルーチンでは、３つの終了条件のいずれかが成立するまで回転同期制御を継続させる。
【００６３】
こうした回転同期制御ルーチンを通じて、本実施形態の制御装置１００では、クラッチ２１が繋がれたときに加えて、変速段の変化が終了してからの経過時間が第１終了判定時間ＴＥ１を超えたときと、回転同期制御が開始されてからの経過時間が第２終了判定時間ＴＥ２を超えたときにも、回転同期制御を終了させる。
【００６４】
なお、手動変速機２５の入力軸２４の回転速度は、手動変速機２５の出力軸１４の回転速度が等しい場合であっても、減速比が大きいほど高くなる。そのため、内燃機関１０の出力軸１４の回転速度は、変速段が変更された後の減速比が大きいときほど、回転同期制御を通じて高い回転速度に維持されることになる。したがって、変速段が変更された後の減速比が大きいときほど、回転同期制御を通じて内燃機関１０の出力軸１４の回転速度を手動変速機２５の入力軸２４の回転速度と同期させた状態を維持するために消費される燃料の量は多くなる。そこで、回転同期制御の継続時間を短くして燃料消費量を抑制する上では、変速段が変化した後の減速比が大きいときほど終了判定時間ＴＥ１，ＴＥ２を小さくするのが好ましい。
【００６５】
そこで、制御装置１００は、変速段が変化した後の減速比が大きいときほど終了判定時間ＴＥ１，ＴＥ２を短くする。これにより、例えば、変速段が３速に変更されたときよりも、変速段が２速に変速されたときの方が終了判定時間ＴＥ１，ＴＥ２は短くされる。なお、この場合であっても第２終了判定時間ＴＥ２が第１終了判定時間ＴＥ１よりも大きいという大小関係は維持される。
【００６６】
また、制御装置１００は、エコモードが選択されている場合は、パワーモードが選択されている場合よりも第１終了判定時間ＴＥ１及び第２終了判定時間ＴＥ２を短くする。なお、この場合にも第２終了判定時間ＴＥ２が第１終了判定時間ＴＥ１よりも大きいという大小関係は維持される。
【００６７】
続いて、制御装置１００が実行する回転同期制御のための判定ルーチンについて説明する。
制御装置１００は、図３に示す判定ルーチンの処理を内燃機関１０の運転中に予め設定された周期で繰り返し実行することによって、変速段が変更されたか否かの確認を行う。
【００６８】
図３に示すように、判定ルーチンが開始されると、まずステップＳ１１０において、制御装置１００は内燃機関１０の暖機が完了しているか否かを判定する。そして、ステップＳ１１０において、暖機が完了していると判定した場合（ステップＳ１１０：ＹＥＳ）には、ステップＳ１２０へと進む。なお、暖機未完了時であってもこの判定ルーチンを通じて十分な判定精度で変速段が変更されたか否かを判定することができるのであれば、ステップＳ１１０の判定は省略してもよい。
【００６９】
ステップＳ１２０において、制御装置１００はクラッチ開度に基づいてクラッチ２１が解放されているか否かを判定する。ここでは、クラッチ２１が完全に開放されたときにクラッチ２１が開放されていると判定するようにしてもよいし、機関回転速度及び入力軸回転速度の変化が確認できる程度にクラッチ２１が部分開放された段階でクラッチ２１が開放されていると判定するようにしてもよい。そして、ステップＳ１２０においてクラッチ２１が解放されていると判定した場合（ステップＳ１２０：ＹＥＳ）には、ステップＳ１３０へと進む。
【００７０】
ステップＳ１３０において、制御装置１００は変速段が変化したか否かを判定するための判定条件が成立しているか否かを判定する。
ここで、変速段が変化したか否かを判定するための判定条件について説明する。
【００７１】
本実施形態の制御装置１００は、クラッチ２１が解放された後の入力軸回転速度の変化に基づいて変速段が変化したか否かを判定する。
手動変速機２５のアップシフト側への変速段の変更に際しては、手動変速機２５の入力軸２４の回転速度が低下する。一方で、手動変速機２５のダウンシフト側への変速段の変更に際しては、手動変速機２５の入力軸２４の回転速度が上昇する。そのため、手動変速機２５の変速段が変更されたか否かは、入力軸２４の回転速度の変化から容易に検知できるように思われる。
【００７２】
しかしながら、クラッチ２１が開放されると、プロペラシャフト２７等の駆動系の構成部材にねじり振動が発生し、それにより入力軸２４の回転速度が周期的に昇降するようになる。そのため、単純に入力軸２４の回転速度の変化を監視するだけでは、クラッチ２１開放後のねじり振動による入力軸２４の回転速度の変化と、変速段の変更に伴う入力軸２４の回転速度の変化とを区別できず、変速段が変更されたことを的確に確認することが困難となっている。
【００７３】
そこで、制御装置１００は、入力軸２４の回転速度のラフ値と入力軸２４の回転速度の検出値に平準化処理を施したスムース値との乖離の大きさに基づいて変速段が変更されたことを確認するようにしている。なお、スムース値の算出のための平滑化処理としては、例えばなまし処理を用いることができる。
【００７４】
本実施形態のラフ値は、入力軸回転速度の検出値である。なお、入力軸回転速度のラフ値は、スムース値に対するものよりも平滑度合いの小さい平滑化処理を入力軸回転速度の検出結果に施して求められた値とすることもできる。
【００７５】
なまし処理によって平滑化されたスムース値は、検出値と比較して急峻な変化が反映され難い。例えば、クラッチ２１の開放に伴って入力軸回転速度の検出値は駆動系のねじり振動に起因して周期的に昇降するが、このときの検出値の変化はあまり急峻ではないため、検出値とスムース値との差はそれほど大きくならない。
【００７６】
これに対して、クラッチ２１が開放された後、例えば、ダウンシフト側への変速段の変更が実行されると、入力軸回転速度の検出値が急激に上昇する。このとき、検出値の急峻な変化は平滑化処理により均されるため、スムース値への反映は遅くなる。その結果、入力軸回転速度の検出値とスムース値との差が大きくなる。
【００７７】
そこで、本実施形態においては、ラフ値とスムース値との差が開始判定値Ｎｄ以上になることを、変速段が変更されたか否かを判定する際の判定条件の１つとしている。
なお、開始判定値Ｎｄは、ダウンシフト側への変速段の変更の場合と、アップシフト側への変速段の変更の場合とで異なる値としてもよい。例えば、ダウンシフト側への変速段の変更の場合には入力軸回転速度が上昇するため、入力軸回転速度が上昇している場合には開始判定値をＮｄ１にして検出値からスムース値を減算した差がＮｄ１以上の場合に変速段が変更されたと判定する。一方で、アップシフト側への変速段の変更の場合には入力軸回転速度が低下するため、入力軸回転速度が低下している場合には開始判定値をＮｄ２にしてスムース値から検出値を減算した差がＮｄ２以上の場合に変速段が変更されたと判定する。
【００７８】
この判定は、変速段の変更が完了していなくても、入力軸回転速度の検出値とスムース値との差が開始判定値Ｎｄ以上になった時点で行うことができる。そのため、入力軸回転速度の検出値とスムース値との差に基づいて変速段の変化有りと判定した場合には、変速段の変更が完了するよりも前に、速やかに回転同期制御を開始することが可能になる。
【００７９】
ただし、クラッチ２１を解放する直前の機関回転速度が極めて低い場合には、クラッチ２１解放後の変速段の変更に伴う入力軸回転速度の変化は小さくなる。この場合には、上述したような入力軸回転速度の検出値とスムース値との差も小さくなり、ねじり振動に起因する変化と変速段の変更に伴う変化とが区別しにくい場合がある。
【００８０】
また、いずれかの変速段が選択されており、かつ、クラッチ２１が解放されているときには、入力軸２４は駆動輪３０Ｌ，３０Ｒに連動して回転する。そのため、駆動輪３０Ｌ，３０Ｒの回転速度が変化すると、変速段が変更されなくても入力軸回転速度が変化することがある。
【００８１】
そこで、本実施形態の制御装置１００は、入力軸回転速度を車速センサ６６によって検出される出力軸２６の回転速度で除した商である変速比を算出し、その変速比の単位時間あたりの変化量である変速比変化量を算出する。そして、制御装置１００は、ラフ値とスムース値との差以外に、算出した変速比変化量に基づいて変速段が変更されたか否かを判定する。
【００８２】
いずれかの変速段が選択されているときには、入力軸回転速度の検出値は出力軸２６の回転速度と連動して変化するので、変速段が変更されない限りは出力軸２６の回転速度が変化しても、算出される変速比は変化しない。一方、変速段が変更されると、入力軸回転速度の変化に応じて制御装置１００によって算出される変速比が変化する。
【００８３】
したがって、本実施形態においては、変速比変化量が開始判定値Ｒｄ以上になった後に、同変速比変化量が開始判定値Ｒｄより小さくなって、変速後の変速比で安定した状態になることを、変速段が変更されたか否かを判定する際の判定条件の１つとしている。
【００８４】
そして、制御装置１００は、判定ルーチンのステップＳ１３０において、「入力軸回転速度の検出値とスムース値との差が開始判定値Ｎｄ以上になる」ことと、「変速比変化量が開始判定値Ｒｄ以上になった後に、同変速比変化量が開始判定値Ｒｄより小さくなる」ことの２つの判定条件のうち、いずれかが成立している場合（ステップＳ１３０：ＹＥＳ）には、ステップＳ１４０へと進む。
【００８５】
ステップＳ１４０において、制御装置１００は変速段の変化有りと判定する。一方、ステップＳ１１０，Ｓ１２０，Ｓ１３０において否定判定がなされた場合（ステップＳ１１０：ＮＯ，ステップＳ１２０：ＮＯ，ステップＳ１３０：ＮＯ）には、ステップＳ１４０はスキップされて処理が終了する。
【００８６】
次に、本実施形態にかかる内燃機関１０の制御装置１００の作用について説明する。
図４〜図６に示すように、クラッチ２１が解放された後、制御装置１００が回転同期制御を開始すると、第２タイマ１０２が計時動作を開始することによって、第２タイマ値ＴＢが増加し始める。また、変速段の変更が終了すると、第１タイマ１０１が計時動作を開始することによって、第１タイマ値ＴＡが増加し始める。
【００８７】
なお、本実施形態においては、変速比変化量が開始判定値Ｒｄより小さくなって、変速後の変速比で安定した状態になった場合に、制御装置１００が変速段の変化が終了したと判定する。
【００８８】
ここで、図４〜図６には、「入力軸回転速度の検出値とスムース値との差が開始判定値Ｎｄ以上になる」との判定条件に基づいて制御装置１００が変速段の変化が有ったと判定して、回転同期制御を開始した場合のタイムチャートを示している。そのため、第２タイマ１０２は第１タイマ１０１よりも先に計時動作を開始している。
【００８９】
一方、制御装置１００は、変速比変化量が開始判定値Ｒｄより小さくなったことに基づいて変速段の変化が有ったと判定した場合には、その判定と同時に変速段の変化が終了したと判定する。したがって、変速比変化量に基づいて変速段の変化が有ったと判定されたときには、第１タイマ１０１と第２タイマ１０２とが同時に計時動作を開始することになる。
【００９０】
図４に示すように、変速段の変更完了後、速やかにクラッチ２１が繋がれた場合、すなわち第１タイマ値ＴＡが第１終了判定時間ＴＥ１を超える前であって、かつ第２タイマ値ＴＢが第２終了判定時間ＴＥ２を超える前にクラッチ２１が繋がれた場合には、制御装置１００はクラッチ２１が繋がれたときに回転同期制御を終了する。このように、変速段を変更して速やかにクラッチ２１が繋がれる場合には、回転同期制御の継続時間は短い。
【００９１】
一方、図５に示すように、回転同期制御が開始されてからクラッチ２１がなかなか繋がれず、クラッチ２１が解放された状態で第１タイマ値ＴＡが第１終了判定時間ＴＥ１を超えたときにも、制御装置１００は回転同期制御を終了する。なお、第１タイマ１０１及び第２タイマ１０２はその後クラッチ２１が繋がれたときにリセットされる。
【００９２】
なお、シフトレバー５０の操作は短時間で行われるため、シフトレバー５０の操作の途中で回転同期制御が開始された場合であっても、回転同期制御が開始される時刻と操作が終了する時刻との時間差は小さい。そのため、クラッチ２１を解放している間に生じる変速段の変化が１回である場合には、図５に示されるように回転同期制御が第２終了判定時間ＴＥ２よりも短い第１終了判定時間ＴＥ１に基づいて終了される。
【００９３】
これに対して、１回目の変速段の変化が終了して第１タイマ１０１が計時動作を開始した後、第１タイマ値ＴＡが第１終了判定時間ＴＥ１を超える前に再び変速段が変更された場合には、第１タイマ値ＴＡが初期値である「０」にリセットされて計時動作がやり直される。
【００９４】
すなわち、クラッチ２１を解放している間に複数回の変速段の変更を行う場合には、第１終了判定時間ＴＥ１に基づく終了条件を設定したとしても、最後の変速段の変更が終了してからの経過時間が第１終了判定時間ＴＥ１を超えるまで回転同期制御が終了されないため、回転同期制御が長い期間に亘って継続されるおそれがある。
【００９５】
そこで、制御装置１００では、第１終了判定時間ＴＥ１に加え、第１終了判定時間ＴＥ１よりも長い第２終了判定時間ＴＥ２を設定し、変速段の変更が終了してからの経過時間が第１終了判定時間ＴＥ１を超えた場合に加えて、回転同期制御が開始されてからの経過時間が第２終了判定時間ＴＥ２を超えた場合にも回転同期制御を終了する。
【００９６】
すなわち、図６に示すように、クラッチ２１が解放された状態で第２タイマ値ＴＢが第２終了判定時間ＴＥ２を超えた場合にも、回転同期制御が終了される。そのため、クラッチ２１を解放している間に複数回の変速段の変更を行う場合にも、回転同期制御に伴って消費される燃料の増大が抑制される。
【００９７】
このように、本実施形態の制御装置１００は、クラッチ２１が繋がれる前に第１タイマ値ＴＡが第１終了判定時間ＴＥ１を超えたり、第２タイマ値ＴＢが第２終了判定時間ＴＥ２を超えたりした場合には、回転同期制御を終了する。そのため、機関回転速度と入力軸回転速度の同期が完了してからクラッチ２１が繋がれるまでの経過時間が長くなった場合にも、回転同期制御に伴う燃料消費が抑制される。
【００９８】
以上説明した実施形態によれば、以下の効果が得られる。
（１）変速段の変更に伴って回転同期制御が開始された後、クラッチ２１がなかなか繋がれずに、クラッチ２１を繋ぐまでの時間が長くなったとしても、変速段の変更が終了してからの経過時間が第１終了判定時間ＴＥ１を超えたときに回転同期制御が終了されることになる。したがって、内燃機関１０の出力軸１４の回転速度を手動変速機２５の入力軸２４の回転速度と同期させた状態を維持するために、回転同期制御を通じて長期間に亘って燃料が消費され続けることを抑制し、回転同期制御に伴う燃料消費を抑制することができる。
【００９９】
（２）制御装置１００は回転同期制御を開始してからの経過時間が第２終了判定時間ＴＥ２を超えた場合にも回転同期制御を終了するので、クラッチ２１を開放している間に複数回の変速段の変更が行われる場合であっても、回転同期制御が長期間に亘って継続されることを抑制することができる。したがって、回転同期制御に伴って消費される燃料の増大が抑制される。
【０１００】
（３）変速段が変更された後の減速比が大きいほど第１終了判定時間ＴＥ１及び第２終了判定時間ＴＥ２を短くすることで、燃料消費量が多くなりやすい減速比の大きな変速段への変更に伴う回転同期制御の継続時間が短くなる。したがって、回転同期制御に伴う燃料消費量を効果的に抑制することができる。
【０１０１】
（４）パワーモードが選択されている場合と比較してアクセル操作に対する応答性よりも燃料消費量を抑制することを優先するエコモードが選択された場合には、第１終了判定時間ＴＥ１及び第２終了判定時間ＴＥ２が、パワーモードが選択されている場合よりも短くされる。そのため、エコモードが選択されている場合には、パワーモードが選択されている場合、すなわちエコモードが選択されていない場合と比較して回転同期制御が継続されにくくなる。そして、燃料消費量を抑制するエコモードが選択されている場合に回転同期制御に伴う燃料消費量をより一層抑制することができるようになり、選択されている運転モードの特徴に合わせた制御態様の切り替えを実現することができる。
【０１０２】
（５）入力軸２４の回転速度の検出値に平滑化処理を施して求められたスムース値には、入力軸２４の回転速度の急峻な変化は反映され難い。一方で、入力軸２４の回転速度の検出値には、変速段の変更に伴う急峻な回転速度の変化が顕著に現れる。そのため、これら検出値とスムース値との乖離の大きさを監視すれば、変速段の変更に伴う入力軸２４の回転速度の変化と、クラッチ２１の開放後のねじり振動による入力軸２４の回転速度の変化とを的確に区別することができる。そして、これにより、シフト位置センサ等を用いて変速段が変更されたことを直接検出せずとも、変速段が変更されたことを的確に検出することができるようになる。したがって、上記構成によれば、より簡易な構成で、手動変速機２５の変速段が変更されたことを的確に検知し、回転同期制御を的確に開始することができる。
【０１０３】
（６）変速段が変更されると手動変速機２５の入力軸２４の回転速度が短時間のうちに大きく変化し、入力軸２４の回転速度の検出値とスムース値との乖離が大きくなる。そのため、上記実施形態のように検出値とスムース値との乖離の大きさが開始判定値Ｎｄ以上になったことを回転同期制御を開始する条件に含ませる構成を採用すれば、変速段が変更されて乖離の大きさが開始判定値Ｎｄ以上になったことが検知された場合に、その検知結果に基づいて回転同期制御を開始することができる。
【０１０４】
（７）入力軸２４の回転速度を手動変速機２５の出力軸１４の回転速度で除した商である変速比は変速段の変更に伴って変化し、その後、変速段の変更が終了すると変化しなくなる。したがって、上記実施形態のように変速比の変化量である変速比変化量を監視することにより、変速段が変更されたか否かを判定することができる。これにより、変速段の変更を検知するためのシフト位置センサ等を備えなくても変速段が変更されたか否かを判定することができるので、簡易な構成で回転速度制御を実行することができる。
【０１０５】
（８）変速段の変更が終了すると、変速比はほとんど変化しなくなる。そのため、上記実施形態のように変速比変化量が開始判定値Ｒｄ以上になった後に、開始判定値Ｒｄが前記開始判定値よりも小さくなったことを回転同期制御を開始するための判定条件に含ませる構成を採用すれば、変速段の変更が終了して変速比変化量が開始判定値Ｒｄよりも小さくなったことが検知された場合に、その検知結果に基づいて回転同期制御を開始することができる。
【０１０６】
なお、上記実施形態は以下のように変更してもよい。
・上記実施形態では、変速段毎に異なる終了判定時間ＴＥ１，ＴＥ２を設定するようにしたが、変速段が変更された後の減速比が大きいほど終了判定時間ＴＥ１，ＴＥ２を小さく設定する態様としては他の態様を採用してもよい。例えば複数の変速段毎に異なる終了判定時間ＴＥ１，ＴＥ２を設定するようにしてもよい。具体的には３速及び４速に設定される終了判定時間ＴＥ１，ＴＥ２に対して、それよりも減速比が大きい１速及び２速に設定される終了判定時間ＴＥ１，ＴＥ２を小さく設定してもよい。あるいは、最も減速比が大きい変速段に対して、他の変速段よりも小さい終了判定時間ＴＥ１，ＴＥ２を設定してもよい。
【０１０７】
さらに、車両が手動変速機２５に加えて副変速機を備えている場合には、副変速機において減速比が大きくなるように変速段が変更された場合に、終了判定時間ＴＥ１，ＴＥ２を小さく設定するようにしてもよい。あるいは、手動変速機２５及び副変速機を介した減速比に応じて、上述したように終了判定時間ＴＥ１，ＴＥ２の長さを設定するようにしてもよい。
【０１０８】
・また、上記実施形態では、さらに、第１終了判定時間ＴＥ１及び第２終了判定時間ＴＥ２の双方を変速段が変更された後の減速比が大きいほど小さくするようにしていたが、第１終了判定時間ＴＥ１及び第２終了判定時間ＴＥ２のうちいずれか一方のみを、変速段が変化した後の減速比が大きいほど小さく設定するようにしてもよい。
【０１０９】
・回転同期制御を開始するための判定条件として、「変速比変化量が開始判定値Ｒｄ以上になった後に、同変速比変化量が開始判定値Ｒｄより小さくなる」ことに替えて、「変速比変化量が開始判定値Ｒｄ以上になる」ことを判定条件として含ませることもできる。
【０１１０】
変速段が変更されると手動変速機２５の出力軸１４の回転速度はほとんど変化しない一方で、入力軸２４の回転速度が短時間のうちに大きく変化するため、変速比が大きく変化する。したがって、変速比変化量が開始判定値Ｒｄ以上になったことを回転同期制御を開始するための判定条件に含ませる構成を採用した場合には、変速段が変更されて変速比変化量が開始判定値Ｒｄ以上になったことが検知された場合に、その検知結果に基づいて回転同期制御を開始することができる。
【０１１１】
・その他、回転同期制御を開始するための判定条件として、「入力軸回転速度の検出値が開始判定値以上になる」こと、を含ませるようにする構成を採用することもできる。この場合にも、変速段の変更に伴って変速比が変化し始めたことを判定し、回転同期制御を開始させることができる。
【０１１２】
・回転同期制御の終了条件として、回転同期制御が開始されてからの経過時間が第２終了判定時間ＴＥ２を超えること、を含めない構成とすることもできる。この場合には、制御装置１００が第２タイマ１０２を備えなくてもよいので、より簡易な構成で回転同期制御に伴う燃料消費を抑制することができる。
【０１１３】
・変速段の変化を検出するためのシフト位置センサを備える場合には、シフト位置センサの検出結果に基づいて変速段の変化の有無を判定するようにしてもよい。この場合には、シフト位置センサによって変速段の変化の有無を検知できるため、上記判定ルーチンを行わなくてもよい。
【０１１４】
・エコモードの他の運転モードとして、例えばパワーモードの他にもノーマルモードやスポーツモードなどの複数の運転モードを含み、これらのうち３つ以上の運転モードの中から任意の運転モードを選択可能な構成とすることもできる。この場合には、エコモードが選択されている場合は、エコモード以外の運転モードが選択されている場合よりも、終了判定時間ＴＥ１，ＴＥ２を短くするのが好ましい。
【符号の説明】
【０１１５】
１０…内燃機関、１４…出力軸、２１…クラッチ、２４…入力軸、２５…手動変速機、１００…制御装置。
【図１】
2014227965.tif 000003
【図２】
2014227965.tif 000004
【図３】
2014227965.tif 000005
【図４】
2014227965.tif 000006
【図５】
2014227965.tif 000007
【図６】
2014227965.tif 000008